(57)【要約】【課題】コストアップを招くことなく簡単な構成で主走査方向両端部での光量不足を防ぐことができる画像読取装置を提供すること。【解決手段】複数のＬＥＤ（発光素子）を主走査方向に配列して成る光源と、該光源からの出射光を原稿面に導く導光板５４を備えた画像読取装置において、前記導光板５４の少なくとも出射面５４ｂにおける厚みを主走査方向中央部から両端部に向かって徐々に薄くなるようにする。具体的には、導光板５４の厚みを主走査方向中央部の値Ｙ２から両端部Ｙ１の値まで徐々に狭くする（Ｙ１＜Ｙ２）。この場合、前記導光板５４の入射面５４ａにおいては主走査方向に同一厚みとしても良い。【選択図】図３
2011114659.tif 000002
【特許請求の範囲】
【請求項１】
複数の発光素子を主走査方向に配列して成る光源と、該光源からの出射光を原稿面に導く導光板を備えた画像読取装置において、
前記導光板の少なくとも出射面における厚みを主走査方向中央部から両端部に向かって徐々に薄くなるようにしたことを特徴とする画像読取装置。
【請求項２】
前記導光板の入射面においては主走査方向に同一厚みとしたことを特徴とする請求項１記載の画像読取装置。
【請求項３】
請求項１又は２記載の画像読取装置を備えることを特徴とする画像形成装置。
【発明の詳細な説明】
【技術分野】
【０００１】
本発明は、光源からの出射光によって原稿面を光走査して原稿画像を読み取る画像読取装置とこれを備えた複写機やプリンタ等の画像形成装置に関するものである。
【背景技術】
【０００２】
電子写真方式によって用紙に画像を形成する複写機やプリンタ等の画像形成装置には原稿画像を光学的に読み取るための画像読取装置が備えられているが、この画像読取装置は、一般的には光源やミラー等を備えた光学系キャリッジを有しており、この光学系キャリッジを箱状構造体である光学フレーム内で副走査方向に移動させることによって、ＣＣＤ等の撮像素子によって原稿画像を読み取るよう構成されている。
【０００３】
ところで、斯かる画像読取装置においては、原稿面には光源によって帯状の照明が行われ、原稿面で反射した光像は結像レンズによって撮像素子上に結像され、撮像素子によって読み取られて電気信号に変換される。
【０００４】
ここで、原稿面は光源によって主走査方向に一様な光量で照明されているとすると、撮像素子上に結像される反射光は、撮像素子の主走査方向両端部では結像レンズの特性のために光量が低下してしまう「コサイン４乗則」と称される現象が発生する。このような現象が発生すると、光量が低下した撮像素子の主走査方向両端部においては、光量が高い中央部よりも出力が低くなり、撮像素子から本来得たい画像情報である信号出力と、種々の原因で発生するノイズ出力との差が小さくなってＳ／Ｎ（Signal／Noise ）比が悪くなり、画像不良が発生するという問題がある。
【０００５】
従って、撮像素子の主走査方向両端部においても十分な光量を確保するためには、原稿面の帯状の照明範囲の主走査方向両端部における光量が中央のそれよりも高くなるような光源が必要となる。
【０００６】
そこで、例えば特許文献１には、ＬＥＤアレイ光源を用いた画像読取装置において端部での光量低下を防ぐために、ＬＥＤアレイの両端部の少なくとも１つ以上のＬＥＤに指向特性の異なるものを使用する提案がなされ、特許文献２には、導光部材の長さを原稿面長さよりも長くすることによって、導光部材の長手方向両端面から反射光が有効に原稿面に到達するようにした構成が提案されている。
【先行技術文献】
【特許文献】
【０００７】
【特許文献１】特開２００４−１７７８５１号公報
【特許文献２】特開２００６−０１７９５２号公報
【発明の概要】
【発明が解決しようとする課題】
【０００８】
しかしながら、特許文献１において提案されているようにＬＥＤアレイの両端部の少なくとも１つ以上のＬＥＤに指向特性の異なるものを使用すると、コストアップを招く他、製造上の管理が困難であるという問題がある。
【０００９】
又、特許文献２において提案されているように導光部材の長さを原稿面長さよりも長くすると、それに応じてＬＥＤの個数が増えてコストアップを招く他、両端部と中央部とで温度差が生じ、ＬＥＤの特性上、照度や色度が変化してしまうという問題が発生する。
【００１０】
本発明は上記問題に鑑みてなされたもので、その目的とする処は、コストアップを招くことなく簡単な構成で主走査方向両端部での光量不足を防ぐことができる画像読取装置及びこれを備えた画像形成装置を提供することにある。
【課題を解決するための手段】
【００１１】
上記目的を達成するため、請求項１記載の発明は、複数の発光素子を主走査方向に配列して成る光源と、該光源からの出射光を原稿面に導く導光板を備えた画像読取装置において、前記導光板の少なくとも出射面における厚みを主走査方向中央部から両端部に向かって徐々に薄くなるようにしたことを特徴とする。
【００１２】
請求項２記載の発明は、請求項１記載の発明において、前記導光板の入射面においては主走査方向に同一厚みとしたことを特徴とする。
【００１３】
請求項３記載の画像形成装置は、請求項１又は２記載の画像読取装置を備えることを特徴とする。
【発明の効果】
【００１４】
本発明によれば、導光板の主走査方向の厚みを変化させることによって原稿面で得られる光量と厚み方向の断面配光の主走査方向分布を調整することができ、導光板の少なくとも出射面における厚みを主走査方向中央部から両端部に向かって徐々に薄くなるようにすれば、原稿面の主走査方向両端部の光量を中央部のそれよりも高くすることができ、結像レンズの特性のために撮像素子の主走査方向両端部において光量が低下することに起因する「コサイン４乗則」と称される現象の発生が防がれる。そして、このような効果は単に導光板の形状を変えるだけで簡単に得られるため、コストアップを招くことがない。
【図面の簡単な説明】
【００１５】
【図１】本発明に係る画像形成装置（複合機）の縦断面図である。
【図２】本発明に係る画像読取装置の副走査方向断面図である。
【図３】本発明に係る画像読取装置の導光板の斜視図である。
【図４】（ａ）は本発明に係る画像読取装置の導光板の平面図、（ｂ）は同導光板を出射面側から見た正面図、（ｃ）は同導光板の側面図である。
【図５】導光板の厚みと光量との関係を示す図である。
【図６】導光板の中央部と両端部における断面配光（光量分布）を示す図である。
【図７】導光板（１）によって得られる主走査方向の光量分布を理想の光量分布との比較において示す図である。
【図８】導光板（２）によって得られる主走査方向の光量分布を理想の光量分布との比較において示す図である。
【図９】（ａ）は本発明に係る画像読取装置の別形態に係る導光板の平面図、（ｂ）は同導光板を出射面側から見た正面図、（ｃ）は同導光板の側面図である。
【発明を実施するための形態】
【００１６】
以下に本発明の実施の形態を添付図面に基づいて説明する。
【００１７】
［画像形成装置］
図１は本発明に係る画像形成装置の縦断面図であり、図示の画像形成装置１は、複写機能とプリンタ機能及びファクシミリ機能を兼備した複合機であって、用紙の両面に画像を形成することができる装置である。この画像形成装置１は、装置本体２とその上部に配された自動原稿搬送装置（ＡＤＦ）３及び本発明に係る画像読取装置４を備えており、装置本体２の内部上方には画像形成部５が配され、装置本体２内の下半部には用紙収納部６が配されている。又、装置本体２内の画像形成部５と用紙収納部６の間には転写搬送ユニット７と両面搬送ユニット８が配されており、転写搬送ユニット７には反転手段を構成する反転ローラ３６と反転コロ３７が備えられている。
【００１８】
上記画像読取装置４は、原稿画像を光学的に読み取るための装置であって、その構成の詳細は後述する。
【００１９】
前記画像形成部５は、電子写真方式によって画像を形成するものであって、回転可能に配された像担持体としての感光ドラム９と、その周囲に配された帯電器１０、現像装置１１、転写ローラ１２及びクリーニング装置１３の他、現像装置１１に現像剤であるトナーを補給するためのトナーホッパー１４を備えている。又、画像形成部５の横には、走査光学手段であるレーザースキャナユニット（ＬＳＵ）１５が配置されている。
【００２０】
前記用紙収納部６は、複数枚の用紙が積層収容された着脱可能な４つの給紙カセット１６，１７，１８，１９を備えており、各給紙カセット１６〜１９の近傍には、各給紙カセット１６〜１９内の用紙を上位のものから順次取り出すピックローラ２０と、取り出された用紙を１枚ずつ分離して送り出すフィードローラ２１とリタードローラ２２がそれぞれ配設されている。又、バイパストレイ２３の近傍には、バイパス搬送手段としてのピックローラ２０、フィードローラ２１、リタードローラ２２及び搬送ローラ２４が設けられている。尚、図１において２５，２６，２７は搬送ローラである。
【００２１】
前記転写搬送ユニット７は、用紙収納部６から送り出された用紙を適当なタイミングで画像形成部５へと搬送するとともに、画像形成部５において画像が形成された用紙を不図示の排紙トレイへと排出するものであって、用紙収納部６から画像形成部５に至る第１搬送経路Ｓ１に配置されたレジストローラ２８、前記転写ローラ１２、画像形成部５から排紙手段としての後述の排紙ローラ３１に至る第２搬送経路Ｓ２に設けられた定着装置２９と搬送ローラ３０及び排紙ローラ３１を備えている。ここて、定着装置２９は、圧接状態で互いに回転する定着ローラ２９ａと加圧ローラ２９ｂを備えている。
【００２２】
又、転写搬送ユニット７は画像形成装置本体２に対して着脱可能であって、該転写搬送ユニット７には、第２搬送経路Ｓ２から分岐して両面搬送ユニット８の反転ローラ３６と反転コロ３７に至る横Ｕ字状の第３搬送経路Ｓ３が設けられており、その途中には搬送ローラ３２が設けられている。又、転写搬送ユニット７には前記第３搬送経路Ｓ３とは別に反転搬送経路Ｓ３’が第２搬送経路Ｓ２から分岐して下方に延びており、その途中には搬送ローラ３３が設けられている。そして、第２搬送経路Ｓ２と第３搬送経路Ｓ３との分岐部には、用紙の搬送方向を切り換えるためのフラッパ３４が回動可能に設けられている。
【００２３】
前記両面搬送ユニット８は、画像形成部５において画像が形成された用紙の表裏を反転させるものであって、前記第３搬送経路Ｓ３と反転搬送経路Ｓ３’に連なる中間トレイ３５とその下方に配された第４搬送経路Ｓ４を備えており、中間トレイ３５には、正逆転可能な反転ローラ３６と、該反転ローラ３６に対して圧接／離間する反転コロ３７が設けられている。
【００２４】
又、両面搬送ユニット８には大径の再給紙ローラ３８が回転可能に設けられており、この再給紙ローラ３８の外周には小径のローラ３９，４０が回転可能に当接している。尚、再給紙ローラ３８には不図示の一方向クラッチが設けられている。そして、反転手段を構成する前記反転ローラ３６と反転コロ３７からは第４搬送経路Ｓ４が延びており、この第４搬送経路Ｓ４は前記第１搬送経路Ｓ１に合流している。
【００２５】
上記第４搬送経路Ｓ４には、互いに当接する搬送ローラ４２と搬送コロ４１が用紙搬送方向に沿って３組設けられている。又、再給紙ローラ３８の近傍には、中間トレイ３５に一旦引き込まれた用紙の搬送方向を切り換えるためのフラッパ４３が回動可能に設けられている。尚、本実施の形態では、両面搬送ユニット８の第４搬送経路Ｓ４には、２枚以上の用紙を保留可能な２つ以上の用紙保留位置が備えられている。
【００２６】
［画像読取装置］
ここで、本発明に係る前記画像読取装置４の構成を図２に基づいて説明する。
【００２７】
図２は本発明に係る画像読取装置の副走査方向断面図であり、図示のように、画像読取装置４は、筐体を構成する箱状構造体である光学フレーム４４を備えており、この光学フレーム４４の上面にはコンタクトガラス４ａが設けられている。
【００２８】
又、光学フレーム４４の内部には、コンタクトガラス４ａ上に載置された原稿Ｇに向けて光を照射して該原稿Ｇを照明する照明部４５と、原稿Ｇにて反射した照射光を９０°方向に反射させる第１反射ミラー４６とで構成される第１光学系ユニット４７と、第１反射ミラー４６にて反射した反射光を９０°方向に反射させる第２反射ミラー４８と、該第２反射ミラー４８にて反射した反射光を更に９０°方向に反射させる第３反射ミラー４９とで構成される第２光学系ユニット５０が不図示のガイドレールに沿って副走査方向（図２の左右方向）に移動可能に収容されている。
【００２９】
更に、光学フレーム４４の内部には結像レンズ５１と撮像素子であるＣＣＤ５２が収容されており、前記第３反射ミラー４９にて反射した原稿Ｇからの反射光は、結像レンズ５１によって収束した後にＣＣＤ５２に入射し、該ＣＣＤ５２上に結像される。
【００３０】
ところで、前記照明部４５は、光源として主走査方向に列状（アレイ状）に配置された複数のＬＥＤ５３を使用するものであって、ＬＥＤ５３には発光特性が同じものが使用され、これらは主走査方向に等間隔（等ピッチ）で配列されている。そして、ＬＥＤ５３の光出射方向前方（図２の左方）には、副走査方向（図２の紙面垂直方向）に長い導光板５４が配設されている。尚、導光板５４は透明樹脂又はガラスによって構成されており、これには拡散シートの貼付、表面処理、レンズカット等の拡散処理がなされている。
【００３１】
而して、本実施の形態では、導光板５４の少なくとも出射面５４ｂにおける厚みＹを主走査方向中央部から両端部に向かって徐々に薄くなるようにしたことを特徴とする。
【００３２】
ここで、導光板５４の一例を図３及び図４に基づいて説明する。
【００３３】
即ち、図３は導光板の斜視図、図４（ａ）は同導光板の平面図、図４（ｂ）は同導光板を出射面側から見た正面図、図４（ｃ）は同導光板の側面図であり、図示の導光板５４の主走査方向の長さをＸ、厚みをＹ、副走査方向の高さをＺとすると、長さＸと高さＺを一定に保ちつつ、厚みＹは主走査方向中央部から両端部に向かって徐々に薄くなるように変化している。但し、厚みＹは高さ方向に変化せず一定であって、入射面５４ａ及び出射面５４ｂにおいて厚みＹの主走査方向に沿う変化は同じである。
【００３４】
具体的には、主走査方向両端部の厚みＹ１は、中央部の厚みＹ２（＝Ｙ１＋α）よりも小さく設定され（Ｙ１＜Ｙ２）、導光板５４の厚みＹは主走査方向中央部の厚みＹ２から両端部の厚みＹ１まで両端部に向かって曲線的に徐々に薄くなっており、図４（ｂ）に示すように、導光板５４を副走査方向から見た場合、該導光板５４は、主走査方向中央が膨らんで両端部に向かって徐々にすぼむ凸レンズ状に成形されている。
【００３５】
本実施の形態においては、導光板５４として以下のパラメータの２種を用い、それらを導光板（１）、導光板（２）と表現することとする。
【００３６】
ＬＥＤの光り拡散角度：９０°
ＬＥＤの配列ピッチ：１０ｍｍ
ＬＥＤの発光面と原稿面までの距離：２７ｍｍ
ＬＥＤと導光板の距離：０．５ｍｍ
導光板長さ（Ｘ）：３００ｍｍ
導光板厚み（Ｙ）：表１を参照
導光板高さ（Ｚ）：１５ｍｍ
走査レンズから原稿面までの距離：５００ｍｍ
【００３７】
【表１】
2011114659.tif 000003
而して、本実施の形態では、導光板５４の厚みＹを主走査方向において変化させたため、原稿面で得られる光量と厚み方向の断面配光を調整することができる。
【００３８】
ここで、導光板５４の厚みＹ［ｍｍ］と光量［ｌｕｘ］との関係を図５に示すが、同図に示すように、例えば導光板の厚みＹが１８ｍｍのときに得られる光量は約２００００ｌｕｘであるのに対して、厚みＹを１２ｍｍに薄くすると光量は約３００００ｌｕｘに増加することが分かる。
【００３９】
又、導光板５４の主走査方向中央部と両端部における断面配光（厚み方向の光量分布）を図６に示すが、同図に示すように、断面配光は、主走査方向中央部と両端部において共に最大光量（基本的には光軸中心位置における値）に対して９０％以上の光量が得られる範囲が３ｍｍ以上という目標を達成することが分かる。
【００４０】
更に、厚みＹが主走査方向に表１に示すように変化する２種の導光板（１），（２）を用いた場合に原稿面で得られる主走査方向の光量分布を図７、図８にそれぞれ示すが、両導光板（１），（２）によれば、主走査方向両端部において中央部よりも高い光量が得られる。
【００４１】
図７に示すように、導光板（１）では、コサイン４乗則による端部光量低下の補正に理想的な配光に対して主走査方向両端部における光量が若干不足しているが、これは導光板の主走査方向中央部への集光作用によって生じた誤差によるものである。
【００４２】
そこで、導光板の主走査方向中央部への集光作用による誤差を修正するために導光板（２）の厚みを表１に示す値に設定した。その結果、図８に示すように、主走査方向の配光特性をコサイン４乗則による端部光量低下の補正に理想的な配光に近づけることができた。
【００４３】
尚、以上は導光板５４の厚みＹの主走査方向における変化が入射面５４ａと出射面５４ｂにおいて共に同じである（高さＺ方向において一定）である場合について説明したが、図９に示すような形状の導光板５４’を用いても前記と同様の効果が得られる。
【００４４】
即ち、図９（ａ）は別形態に係る導光板の平面図、図９（ｂ）は同導光板を出射面側から見た正面図、図９（ｃ）は同導光板の側面図であり、図示の導光板５４’においては、入射面５４ａ’における厚みＹ１は主走査方向に一体であるのに対して、出射面５４ｂ’における厚みＹは、図４及び図５に示した導光板５４と同様に主走査方向中央部の厚みＹ２（＝Ｙ１＋α）から両端部の厚みＹ１まで両端部に向かって曲線的に徐々に薄くなっている。
【００４５】
又、以上に示した導光板５４，５４’においては、厚みＹを主走査方向中央部から両端部に向かって曲線的に変化させたが、直線的に変化させても同様の効果が得られる。
【００４６】
［画像形成動作］
次に、以上のように構成された図１に示す画像形成装置１の画像形成動作について説明する。
【００４７】
例えば、自動原稿搬送装置３の原稿トレイ３ａにセットされた原稿Ｇが原稿読取部であるコンタクトガラス４ａ上に自動的に搬送され、その原稿Ｇの画像が画像読取装置４によって光学的に読み取られる。即ち、第１光学系ユニット４７と第２光学系ユニット５０が不図示のガイドレールに沿って副走査方向（図１の左右方向）に移動しながらコンタクトガラス４ａ上に載置された原稿Ｇを走査すると、第１光学系ユニット４７のＬＥＤ５３から導光板５４を通過して原稿Ｇに向かう光Ｌ１によって原稿Ｇが照射され、原稿Ｇにて反射した反射光Ｌ２は第１光学系ユニット４７の第１反射ミラー４６にて９０°方向に反射する。そして、この反射光Ｌ２は、第２光学系ユニット５０の第２反射ミラー４８と第３反射ミラー４９にて９０°方向にそれぞれ反射し、結像レンズ５１によって収束した後にＣＣＤ５２に入射し、該ＣＣＤ５２によって読み取られて電気信号に変換される。
【００４８】
上述のようにして原稿Ｇの画像が画像読取装置４によって光学的に読み取られると、画像形成部５においては、感光ドラム９が不図示の駆動手段によって図１の矢印方向（時計方向）に回転駆動され、その表面が帯電器１０によって所定の電位に一様に帯電される。そして、画像読取装置４から送信される電気信号に基づくレーザー光がレーザースキャナユニット１５から出力されて感光ドラム９上に照射されると、該感光ドラム９上に静電潜像が形成される。そして、この感光ドラム９上に形成された静電潜像は、現像装置１１によってトナーを用いて現像されてトナー像として可視像化される。
【００４９】
ところで、カセット給紙を行う場合、用紙収納部６の例えば給紙カセット１６内に収容された用紙は、ピックローラ２０によって最上位のものから１枚ずつピックアップされ、フィードローラ２１とリタードローラ２２によって１枚ずつ分離されて搬送ローラ２５，２６によって第１搬送経路路Ｓ１をレジストローラ２８へと搬送される。そして、レジストローラ２８においては、用紙は、一時待機状態とされた後、感光ドラム９上のトナー像に同期する所定のタイミングで画像形成部５へと供給される。
【００５０】
画像形成部５においては、感光ドラム９と転写ローラ１２との間の転写ニップへと供給された用紙は、転写ローラ１２によって感光ドラム９に押し付けられながら搬送されることによって、その表面（第１面）に感光ドラム９上のトナー像が転写される。そして、トナー像が転写された用紙は、定着装置２９へと搬送され、この定着装置２９の定着ローラ２９ａと加圧ローラ２９ｂ間の定着ニップを通過する過程で加熱及び加圧されてトナー像の定着を受ける。尚、用紙へのトナー像の転写後に感光ドラム９の表面に残留するトナー（転写残トナー）はクリーニング装置１３によって除去され、表面が清掃された感光ドラム９は次の画像形成動作に備えられる。
【００５１】
而して、定着装置２９にて表面にトナー像が定着された用紙は、フェースアップ排紙（ＦＵ排紙）が選択されている場合には、フラッパ３４によってその搬送方向が決定され、用紙は第２搬送経路Ｓ２をそのまま排紙ローラ３１に向かって搬送され、排紙ローラ３１によって画像面を上にして不図示の排紙トレイへと排出される。
【００５２】
一方、フェースダウン排紙（ＦＤ排紙）又は両面画像モードが選択された場合には、フラッパ３４が動作して用紙の搬送方向が切り換えられ、定着装置２９を通過した用紙は横Ｕ字状の第３搬送経路Ｓ３を通って両面搬送ユニット８へと搬送される。
【００５３】
両面搬送ユニット８においては、反転コロ３７は反転ローラ３６から離間した状態で待機しており、用紙が両面搬送ユニット８に或る一定以上送られると、反転コロ３７は反転ローラ３６に圧接される。このように反転コロ３７が反転ローラ３６に圧接されると、反転ローラ３６が正転されて用紙が送られてきた方向に引き込まれ、用紙が或る一定以上引き込まれると反転ローラ３６が逆転される。すると、用紙がスイッチバックされて反転搬送経路Ｓ３又は第４搬送経路Ｓ４へと送られる。即ち、フェースダウン排紙が選択されている場合には、フラッパ４３によって用紙の搬送方向が反転搬送経路Ｓ３へと切り換えられ、用紙は画像面を下にした状態で排紙ローラ３１によって不図示の排紙トレイへと排出される。
【００５４】
又、両面画像モードが選択されている場合には、フラッパ４３によって用紙の搬送方向が第４面搬送経路Ｓ４の方向に切り換えられ、用紙は、再給紙ローラ３８と反転コロ４１及び搬送ローラ４２によって第４搬送経路Ｓ４を画像面を上にして搬送され、第４搬送経路Ｓ４から第１搬送経路Ｓ１へと受け渡されることによって表裏が反転されて画像面を下にした状態でレジストローラ２８へと送られる。そして、以後は前述と同様のプロセスを経て用紙の反対面（第２面）にトナー像が形成され、このトナー像が形成された用紙は、定着装置２９によってトナー像の定着を受けた後に排紙ローラ対３１によって不図示の排紙トレイへと排出され、該用紙の両面に画像が形成される。
【００５５】
尚、以上はカセット給紙を行う場合について説明したが、手差し給紙を行う場合には、バイパストレイ２３上にセットされた用紙は、ピックローラ２０によって最上位のものからピックアップされ、フィードローラ２１とリタードローラ２２によって１枚ずつ分離されて搬送ローラ２４によって第１搬送経路Ｓ１をレジストローラ２８へと搬送され、以後は前記と同様のプロセスを経て該用紙に画像が形成される。
【００５６】
而して、以上のプロセスを経て用紙に画像を形成する画像形成装置１に設けられた本発明に係る画像読取装置４においては、導光板５４の主走査方向の厚みを変化させることによって原稿Ｇの読取面で得られる光量と厚み方向の断面配光の主走査方向分布を調整することができ、導光板５４の少なくとも出射面５４ｂにおける厚みを主走査方向中央部から両端部に向かって徐々に薄くなるようにすれば、図７及び図８に示すように、原稿Ｇの読取面の主走査方向両端部の光量を中央部のそれよりも高くすることができ、結像レンズ５１の特性のためにＣＣＤ５２の主走査方向両端部において光量が低下することに起因する「コサイン４乗則」と称される現象の発生が防がれる。そして、このような効果は単に導光板５４の形状を変えるだけで簡単に得られるため、コストアップを招くことがない。
【００５７】
尚、本実施の形態では、本発明を複合機及びこれに備えられた画像読取装置に対して適用した例について説明したが、本発明は、単体としての複写機、プリンタ、ファクシミリ等の他の任意の画像形成装置及びこれに備えられた画像読取装置に対しても同様に適用可能であることは勿論である。
【符号の説明】
【００５８】
１                画像形成装置
２                画像形成装置本体
３                自動原稿搬送装置
３ａ              原稿トレイ
４                画像読取装置
４ａ              コンタクトガラス
５                画像形成部
６                用紙収納部
７                転写搬送ユニット
８                両面搬送ユニット
９                感光ドラム
１０              帯電器
１１              現像装置
１２              転写ローラ
１３              クリーニング装置
１４              トナーホッパー
１５              レーザースキャナユニット（ＬＳＵ）
１６〜１９        給紙カセット
２０              ピックローラ
２１              フィードローラ
２２              リタードローラ
２３              バイパストレイ
２４〜２７        搬送ローラ
２８              レジストローラ
２９              定着装置
２９ａ            定着ローラ
２９ｂ            加圧ローラ
３０            搬送ローラ
３１              排紙ローラ
３２，３３        搬送ローラ
３４              フラッパ
３５              中間トレイ
３６              反転ローラ
３７              反転コロ
３８              再給紙ローラ
３９，４０        ローラ
４１              搬送コロ
４２              搬送ローラ
４３              フラッパ
４４              光学フレーム
４５              照明部
４６              第１反射ミラー
４７              第１光学系ユニット
４８              第２反射ミラー
４９              第３反射ミラー
５０              第２光学系ユニット
５１              結像レンズ
５２              ＣＣＤ
５３              ＬＥＤ（発光素子）
５４，５４’      導光板
５４ａ，５４ａ’  導光板の入射面
５４ｂ，５４ｂ’  導光板の出射面
Ｇ                原稿
Ｌ１，Ｌ２        光
Ｓ１              第１搬送経路
Ｓ２              第２搬送経路
Ｓ３              第３搬送経路
Ｓ３’            反転搬送経路
Ｓ４              第４搬送経路
【図１】
2011114659.tif 000004
【図２】
2011114659.tif 000005
【図３】
2011114659.tif 000006
【図４】
2011114659.tif 000007
【図５】
2011114659.tif 000008
【図６】
2011114659.tif 000009
【図７】
2011114659.tif 000010
【図８】
2011114659.tif 000011
【図９】
2011114659.tif 000012